(57)【要約】【課題】本発明は、ラチェットの精度が出しやすく、且つ低コストで製造できるようにしたグローブボックスのロック装置を実現することを目的とする。【解決手段】車両に用いられるグローブボックスに取付けられた箱状をなすベース２１と、該ベース２１にラチェット回転軸２５により揺動可能に支持されて車体に設けられたストライカ２４に係脱可能なラチェット２２と、前記ラチェット回転軸２５とは別の軸に支持されて前記ラチェット２２を回動することができるノブ２３と、を具備してなるグローブボックスのロック装置であって、前記ラチェット２２は、前記ストライカ２４に係止するストライカ保持部２６とストライカ当たり面２７がＵ字状に形成された鈎部２８と、該鈎部２８とラチェット回転軸２５とをつなぐ連結部２９とよりなり、前記鈎部２８のストライカ当たり面２７を２分割して形成して成るように構成する。【選択図】　　　図１
2004068407.tif 000002
【特許請求の範囲】
【請求項１】
車両に用いられるグローブボックスに取付けられた箱状をなすベース（２１）と、該ベース（２１）にラチェット回転軸（２５）により揺動可能に支持されて車体に設けられたストライカ（２４）に係脱可能なラチェット（２２）と、前記ラチェット回転軸（２５）とは別の軸に支持されて前記ラチェット（２２）を回動することができるノブ（２３）と、を具備してなるグローブボックスのロック装置であって、
前記ラチェット（２２）は、前記ストライカ（２４）に係止するストライカ保持部（２６）とストライカ当たり面（２７）がＵ字状に形成された鈎部（２８）と、該鈎部（２８）とラチェット回転軸（２５）とをつなぐ連結部（２９）とよりなり、前記鈎部（２８）のストライカ当たり面（２７）を２分割して形成して成ることを特徴とするグローブボックスのロック装置。
【請求項２】
前記分割された２個のストライカ当たり面（２７）の間隔は、前記鈎部（２８）のストライカ保持部（２６）の幅とほぼ等しいことを特徴とする請求項１記載のグローブボックスのロック装置。
【発明の詳細な説明】
【０００１】
【発明の属する技術分野】
本発明はグローブボックスのロック装置に関する。詳しくは、車両に設けられたストライカに係合するラチェットを精度良く、且つ低コストで製造できるようにしたグローブボックスのロック装置に関する。
【０００２】
【従来の技術】
従来の車両に用いられているグローブボックス及びそのロック装置の１例の断面図を図３に示す。同図において、符号１は車両のインストルメントパネル（又はダッシュボード）、２はグローブボックスであり、該グローブボックスはヒンジピン３によりインストルメントパネル１に回動可能に支持されている。また該グローブボックス２にはロック装置４が設けられ、インストルメントパネル１には該ロック装置４が係止されるストライカ５が設けられている。
【０００３】
また、該ロック装置４はストライカ５に係合するフック６及びラチェット７が設けられ、該ラチェット７はノブ８に固定され、該ノブ８をピン９を中心にして矢印Ａ方向に回動することによりストライカ５との係合を解き、グローブボックス２を前方に引き出すことができるようになっている。このように構成された、ロック装置４は、強度上、フック６をダイキャストで、ラチェット７を鉄製にしている。このため製品のコストが上がるという欠点がある。このため最近では低コストの樹脂製のロック装置が開発されている。
【０００４】
図４は樹脂製のロック装置を示す図である。このロック装置は図４（ａ）の正面斜視図、（ｂ）の背面斜視図、（ｃ）の断面図に示すように、グローブボックスに固定されるベース１０と、該ベース１０に回動可能に支持されたラチェット１１と、該ラチェット１１を駆動するノブ１２と、車両に設けられたストライカ１３とを具備して構成されている。そして前記ラチェット１１は鈎状をなし、ラチェット回転軸１４によりベース１０に回動可能に支持され、ノブ１２はベース１０の前面をほぼ覆うような形状をなし、前記ラチェット回転軸１４とは別の軸によりベース１０に回動可能に支持され、図示なきばねにより矢印Ａ方向に付勢されている。
【０００５】
また、ラチェット１１は図示なきばねにより矢印Ｂ方向に付勢されている。そして該ラチェット１１はその鈎状部でストライカ１３に係合できるようになっている。この係合を解除するには、（ｃ）図の如く、ノブ１２の下部を矢印Ａと反対の方向に回動させることによりノブ１２に形成された図示なきアームが（ｄ）図の如く、ラチェット１１に形成された平面部１１ａを押圧しラチェット１１を（ｃ）図の矢印Ｂと反対方向に回動させてストライカ１３との係合を解除することができ、これによりグローブボックスを開放することができる。
【０００６】
【発明が解決しようとする課題】
上記のような従来のグローブボックスのロック装置においては、図４（ｄ）に示す如き形状の複雑なラチェットを形成するには、図５に示すように、下型１６と上型１７と、互いに反対方向に移動する２個のスライド中子１８、１９が必要になり、金型が複雑となり、且つ肉厚となるため図４（ｄ）に示すラチェットのストライカ当たり面１５の面精度が出にくく、且つ金型製作費が高くなるという問題がある。
【０００７】
本発明は、上記従来の問題点に鑑み、ラチェットの精度が出しやすく、且つ低コストで製造できるようにしたグローブボックスのロック装置を実現することを目的とする。
【０００８】
【課題を解決するための手段】
上記目的を達成するため、本発明の請求項１は、車両に用いられるグローブボックスに取付けられた箱状をなすベース２１と、該ベース２１にラチェット回転軸２５により揺動可能に支持されて車体に設けられたストライカ２４に係脱可能なラチェット２２と、前記ラチェット回転軸２５とは別の軸に支持されて前記ラチェット２２を回動することができるノブ２３と、を具備してなるグローブボックスのロック装置であって、前記ラチェット２２は、前記ストライカ２４に係止するストライカ保持部２６とストライカ当たり面２７がＵ字状に形成された鈎部２８と、該鈎部２８とラチェット回転軸２５とをつなぐ連結部２９とよりなり、前記鈎部２８のストライカ当たり面２７を２分割して形成して成ることを特徴とする。また、請求項２は、前記分割された２個のストライカ当たり面２７の間隔は、前記鈎部２８のストライカ保持部２６の幅とほぼ等しいことを特徴とする。
【０００９】
この構成を採ることにより、ラチェットの精度が出しやすく、且つ低コストで製造できるようにしたグローブボックスのロック装置を実現することができる。
【００１０】
【発明の実施の形態】
図１は本発明のグローブボックスのロック装置の実施の形態を示す図であり、（ａ）は正面斜視図、（ｂ）は背面斜視図、（ｃ）は（ａ）図のｃ−ｃ線における断面図、（ｄ）はラチェットの斜視図である。本実施の形態は、グローブボックスに固定されるベース２１と、該ベース２１に回動可能に支持されたラチェット２２と、該ラチェット２２を駆動するノブ２３とを具備して構成されている。なお、符号２４は車両に設けられたストライカである。
【００１１】
また、前記ラチェット２２は鈎状をなし、ラチェット回転軸２５により支持されて図示なきばねにて矢印Ｂ方向に付勢され、前記ノブ２３はベース２１の前面をほぼ覆うような形状をなし、前記ラチェット回転軸２５とは別の軸に支持されて、図示なきばねにより矢印Ａ方向に付勢されている。以上は図４で説明した従来例と同様である。
【００１２】
本実施の形態の特徴は、ラチェット２２にあり、該ラチェット２２はストライカ２４に係止するストライカ保持部２６とストライカ当たり面２７がＵ字状に形成された鈎部２８と、該鈎部２８とラチェット回転軸２５とをつなぐ連結部２９とを具備し、前記ラチェット２２のストライカ当たり面２７が図１（ｄ）に示すように、２個に分割して形成されていることである。なお、分割された２個のストライカ当たり面２７の間隔は、前記鈎部２８のストライカ保持部２６の幅とほぼ等しい。
【００１３】
このように構成された本実施の形態は、図２に示すような金型で形成することができる。同図（ａ）は縦断面図、（ｂ）は（ａ）図のｂ−ｂ線における断面図、（ｃ）は（ａ）図のｃ−ｃ線における断面図である。本金型は、下型３０と、上型３１と、スライド中子３２とよりなる。そして、下型３０はラチェット２２の下部を、上型３１はラチェット２２の上部及びストライカ当たり面を、スライド中子３２はストライカ保持部を形成し、該スライド中子３２は製品取り出し時には矢印Ａ方向に移動するようになっている。
【００１４】
このように本金型は、上、下、中子の３個の金型よりなるため、図５で説明した従来の４個の金型を用いたものに比し構造が簡単となり、且つラチェット当り面は１個の上型で形成されるため精度の向上が可能となり、且つ安価となる。従って、本金型によるラチェットも安価となる。
【００１５】
【発明の効果】
本発明のグローブボックスのロック装置に依れば、ラチェットのストライカ当たり面を２分割したことにより、該ラチェットを形成するための金型を簡単化することができ、それにより、ラチェットのストライカ当たり面の精度向上が可能となり、且つ安価に製造することが可能となる。
【図面の簡単な説明】
【図１】本発明のグローブボックスのロック装置の実施の形態を示す図で、（ａ）は正面斜視図、（ｂ）は背面斜視図、（ｃ）は（ａ）図のｃ−ｃ線における断面図、（ｄ）はラチェットの斜視図である。
【図２】本発明のグローブボックスのロック装置の実施の形態におけるラチェットを形成するための金型を示す図である。
【図３】従来のグローブボックス及びそのロック装置を示す断面図である。
【図４】従来の樹脂製ロック装置を示す図で、（ａ）は正面斜視図、（ｂ）は背面斜視図、（ｃ）は（ａ）図のｃ−ｃ線における断面図、（ｄ）はラチェットの斜視図である。
【図５】従来のグローブボックスのロック装置におけるラチェットを形成するための金型を示す図である。
【符号の説明】
２１…ベース
２２…ラチェット
２３…ノブ
２４…ストライカ
２５…ラチェット回転軸
２６…ストライカ保持部
２７…ストライカ当たり面
２８…鈎部
２９…連結部
【図１】
2004068407.tif 000003
【図２】
2004068407.tif 000004
【図３】
2004068407.tif 000005
【図４】
2004068407.tif 000006
【図５】
2004068407.tif 000007